Podtech/llm-jp-corpus-v4-ja_patent huggingface dataset:
(57)【要約】【課題】従来のうろこ取りは手動式にしても、機械式にしても、うろこを取る基本的な方法は同じで、うろこを表皮から垂直に立てながら裏返すようにして引き剥がしている為その反動でうろこが周囲に飛散する。又、うろこを収納箱に収納する形式にしても、収納箱が必要になり構造的に大きくなり作業性が悪く、作業後の収納箱の清掃などに手間が掛かる等の問題点がある。【解決手段】本発明は、耐錆性と弾性を有する金属のへら状の薄板を電動で前後に振動させる事により、魚のうろこと表皮の間に薄板を入り込ませ、無理なくうろこを表皮からはがす。うろこはへらの上に順に重なって一塊になり溜まって行くので、周囲に飛散させる事が無い。又、振幅の小さい振動的な往復動作なので魚体を強く保持する必要が無い等の特徴がある。【選択図】        図１
2004187511.tif 000002
【特許請求の範囲】
【請求項１】
耐錆性と弾性を有する金属製のへら状の薄板を電動で前後に振動させる事により、魚のうろこと表皮の間に薄板を入り込ませ、無理なくうろこを表皮からはがすので、うろこを周囲に飛散させる事なく、手軽に素早くうろこを取り除く事が出来るうろこ取り機。
【請求項２】
先端部の交換式の先端工具をやすり、砥石、ブラシ、研磨紙、へら等を有した先端工具に交換すれば、うろこ取り以外にそれぞれの目的の道具に早変わりし、多用途の道具として使用できるうろこ取り機。
【請求項３】
構造が簡単で大きさも手ごろなので、安価で提供でき、使用後の後始末も楽なので手軽に使用できるうろこ取り機。
【発明の詳細な説明】
【０００１】
【発明が属する技術分野】
本発明は、うろこを周囲に飛散させる事無く、手軽に素早くうろこを取る事が出来ると共に、交換式の先端工具を交換すれば多用途の道具に変わる、電動のうろこ取り機に関する物である。
【０００２】
【従来の技術】
従来のうろこ取り方法は、専用のうろこ取り器や包丁等を使用して引っ掻いてうろこを取っている為にうろこが飛散する上に、何度も往復動作を繰り返さなければならないので、労力を要する。又、機械式の物は大きくて小回りがきかないので小魚などのうろこ取りには不向きである。
【０００３】
【発明が解決しようとする課題】
従来の技術は手動式にしても、機械式にしても、うろこを取る基本的な方法は同じで、うろこを表皮から垂直に立てながら裏返すようにして引き剥がしている為、その反動でうろこが周囲に飛散する。又、うろこを収納箱に収納する形式にしても、収納箱が必要で構造的に大きくなり作業性が悪く、作業後の収納箱の清掃などに手間が掛かる等の問題点がある。
【０００４】
【課題を解決するための手段】
以上の課題を解決する為に、本発明は、耐錆性と弾性を有する金属のへら状の薄板を電動で前後に振動させる事により、魚のうろこと表皮の間に薄板を入り込ませ、無理なくうろこを表皮からはがす。うろこはへらの上に順に重なって一塊になり溜まって行くので、周囲に飛散させる事が無い。又、振幅の小さい振動的な往復動作なので魚体を強く保持する必要が無い等の特徴がある。図２はうろこを剥がす原理を示す。
【０００５】
【発明の実施の形態】
本発明の１実施形態を図１により示す。交換式先端工具と本体とで構成され、交換式先端工具は本体から抜き差しするだけで脱着出来る構造とする。
【０００６】
本体図３は駆動部と電源部から構成され、防水構造とする。本体先端の接続部に図４のうろこ取り工具を装着すると図１に示すうろこ取り機になり、その他、図５の砥石、図６のブラシ、図７の研磨紙、図８のへら等の工具を装着する事により、それぞれの専用工具に早変わりする。
【０００７】
うろこ取り工具は、本体に接続できる接続部と、うろこ剥がしに使用する耐錆性と弾性を有するへら状の金属製薄板のうろこ落し部で構成され、うろこ落し部の形状は、薄板の弾性で柔軟に魚体に対応出来ると共に、うろこと表皮との間に入り込む事ができる板厚にする。先端の形状は魚体の大きさや形状に合わせて数種類用意する。
【０００８】
駆動部は、電動モータとその回転運動を往復運動に変換する機構とを備えていて、振幅の小さな振動的な往復動作を生み出す。
【０００９】
電源部は電池の収納を基本形とし、電池は乾電池、充電式電池、両用かもしくは、充電用電源を接続して充電する充電式とする。又、電源部は作業をする際の握り部として使用する。
【０００１０】
【実施例】
図３の本体先端の接続部に図４のうろこ取り工具を装着すると図１のうろこ取り機の形態になり、図２に示すように耐錆性と弾性を有する金属製のへら状の薄板を電動で前後に振動させる事により、魚のうろこと表皮の間に薄板を入り込ませ、うろこを周囲に飛散させる事なく表皮からはがす。
【００１１】
図９は、本発明の１実施形態であるうろこ取り機としての使用方法を示す。実際の作業においては水道水の水流の中で行なう事も可能である。
【００１２】
先端部の交換式の先端工具をやすり、砥石、ブラシ、研磨紙、へら等を有した先端工具に交換すれば、うろこ取り以外にそれぞれの目的の電動工具に早変わりし、多用途の電動工具として使用できる。
【００１３】
【発明の効果】
以上説明したように本発明の多用途うろこ取り機は、耐錆性と弾性を有する金属のへら状の薄板を電動で前後に振動させる事により、魚のうろこと表皮の間に薄板を入り込ませ、無理なくうろこを表皮からはがす。うろこはへらの上に順に重なって一塊になり溜まって行くので、周囲に飛散させる事が無い。又、振幅の小さい振動的な往復動作なので魚体を強く保持する必要が無いし、構造が単純なので作業後のうろこ落し機の清掃が楽である等の特徴がある。
【００１４】
又、先端部の交換式の先端工具をやすりに交換すると、金属やプラスチック、木材等の研削に、砥石に交換すると、包丁などの刃物研ぎに、ワイヤブラシやナイロンブラシに交換すると、色々な部品の清掃に、研磨紙に交換すると、色々なものを磨くのに、へらに交換すると、シールや粘着テープ等の剥離にと、多種多様な電動工具として使用で来る。
【図面の簡単な説明】
【図１】うろこ落し機の斜視図である。
【図２】うろこ落しの原理説明図である。
【図３】本体の斜視図である。
【図４】うろこ落し先端工具の平面図と側面図である。
【図５】砥石先端工具の平面図と側面図である。
【図６】ブラシ先端工具の平面図と側面図である。
【図７】研磨紙先端工具の平面図と側面図である。
【図８】へら先端工具の平面図と側面図である。
【図９】魚のうろこ取りの説明図である。
【図１】
2004187511.tif 000003
【図２】
2004187511.tif 000004
【図３】
2004187511.tif 000005
【図４】
2004187511.tif 000006
【図５】
2004187511.tif 000007
【図６】
2004187511.tif 000008
【図７】
2004187511.tif 000009
【図８】
2004187511.tif 000010
【図９】
2004187511.tif 000011
(57)【要約】【課題】磯釣りやイカのヤエン釣り等の際に使用する釣り竿保持ベルトであって、餌付けやヤエンの装着等を、釣り竿を地面に置くことなく行ない得るようにすることを目的とするものである。【解決手段】釣り竿を保持し得る強度を有する支持板の中程位置に腰ベルトを配置させ、支持板の下方側に、釣り竿後端部を保持する受け止め部を形成するとともに、支持板の上方側に、釣り竿の後端部より上方側を保持する竿掛部を形成し、それにより、釣り竿を腰部に立て掛けた状態で保持し得るようにしたことを特徴とする釣り竿保持ベルト。【選択図】      図３
2004187537.tif 000002
【特許請求の範囲】
【請求項１】
釣り竿６を保持し得る強度を有する支持板２に腰ベルト３を配置させ、支持板２の下方側に、釣り竿６後端部を保持する受け止め部４を形成するとともに、支持板２の上方側に、釣り竿６の後端部より上方側を保持する竿掛部５を形成したことを特徴とする釣り竿保持ベルト。
【発明の詳細な説明】
【０００１】
【発明が属する技術分野】
この発明は、釣り竿を用いて磯釣りやイカのヤエン釣り等を行ない際に使用する釣り竿保持ベルトに関するものである。
【０００２】
【従来の技術】
釣り竿を用いて釣りを行なう場合、釣り糸の先端に仕掛を付けたり、針に餌を付けたり、また、針に掛った魚を外したりする際には、釣り竿を地面や船の甲板の上に置いた状態で行なわれるのが普通である。
【０００３】
【発明が解決しようとする課題】
しかし、磯釣り等は、足場の悪い岩場で行なわれることが多く、そのような岩場に釣り竿を置いた場合、竿の表面を傷付けるだけではなく、竿を落としてしまう虞があるのである。また、イカのヤエン釣りを行なうような場合、釣り竿を地面に置いた状態で、ヤエンを装着しようとした場合、装着の際に釣り糸が緩み、折角かかったイカを逃がしてしまうことにもなり兼ねないし、また、船釣りや釣り掘り等、狭い場所に釣り竿を置いた場合、他の釣り人に迷惑をかけることになるし、竿を踏まれて折られてしまうことになるのである。
【０００４】
この発明は、釣り針に餌を付けたり、釣り針に掛った魚を外すような場合に、腰に釣り竿を立て掛けた状態で保持し得るようにすることによって、従来のような不便さを解消しようとするものである。
【０００５】
【課題を解決するための手段】
この発明は、釣り竿の保持ベルトに関するものであって、下方部と上方部で釣り竿を保持し得る強度を有する支持板の中程位置に腰ベルトを配置させ、支持板の下方側に、釣り竿の後端部を保持する受け止め部を形成するとともに、支持板の上方側に、釣り竿の上方側を保持する竿掛部を形成し、それにより、釣り竿を腰部に立て掛けた状態で保持し得るようにしようとするものである。
【０００６】
【実施例】
図面にもとづいて、この発明の実施例を説明すると、釣り竿保持ベルト本体１は、下方部と上方部で釣り竿６を保持し得る強度を有する支持板２に腰ベルト３を配置させ、支持板２の下方側に、釣り竿６後端部を保持する受け止め部４を形成するとともに、支持板２の上方側に、釣り竿６の後端部より上方側を保持する竿掛部５を形成した構成となっているのである。
【０００７】
すなわち、支持板２は、上方部と下方部を円弧状に形成した細長状の金属板により形成されており、その上方部には、釣り竿６を差し入れ得る間隙部を有するフック８の基部９を差し入れ得る孔が形成されており、フック８の基部９を差し入れた状態にして裏面側からナットを螺合させることによって、支持板２の上方側に竿掛部５を形成した構成となっているのである。なお、実施例では、竿掛部５の取り付けは、裏側から２個のナットを螺合させることによって行なわれており、竿掛部５を回転自在の状態として取り付けた構成となっているのである。
【０００８】
竿受け止め部４は、細長状の皮革の上方部に折り曲げ部１０を形成するとともに、下方側の表面部に、袋材１１を配置させ、その内部に釣り竿６の基部を差し入れ得る構成となっており、両側部を支持板２の下方両側部に形成した屈曲エッジ１２・１２内に差し入れて押圧するとともに、リベット１３・・により、折り曲げ部１０が支持板２の中程に位置した状態となるようにして支持板２に取り付けた構成となっているのである。
【０００９】
腰ベルト３は、竿受け止め部４の上方部に形成した折り曲げ部１０内に挿通させ得る幅の帯体をもって形成されており、その両端部に、バックル１４を構成する係合部材１４ａ・１４ｂが取り付けられており、バックル１４を操作することにより釣り人の腰に装着させ得る構成となっており、折り曲げ部１０内に挿通させることにより、支持板２の中程位置に腰ベルト３を配置させた構成となっているのである。
【００１０】
【発明の効果】
この発明にかかる釣り竿保持ベルトは、釣り人の腰に付けて使用するものであるが、それを使用することにより、釣り竿を岩場等に置くことなくスムーズに餌付けやヤエンの装着を行ない得るという利点があるのである。
【００１１】
磯釣り等の際に、岩場に釣り竿を置いた場合、竿の表面を傷付けることになるし、また、イカのヤエン釣りを行なうような場合、釣り竿を地面に置いてヤエンを装着しようとすると、その装着に手間取り、折角かかったイカを逃がしてしまうことにもなり兼ねないし、また、船釣りや釣り堀等、狭い場所に釣り竿を置いた場合、他の釣り人に迷惑をかけることになるし、竿を踏まれて折られてしまうことにもなるのであるが、この発明に係るベルトを使用した場合、釣り竿を置く必要がなくなり、竿を傷付けることなく、効率ようく釣りを行ない得るとい利点があるのである。
【図面の簡単な説明】
【図１】釣り竿保持ベルトの使用要領を示す斜視図である。
【図２】釣り竿保持ベルトの構成を示す斜視図である。
【図３】釣り竿保持ベルトに釣り竿を装着した状態を示す斜視図である。
【符号の説明】
１  釣り竿保持ベルト本体
２  支持板
３  腰ベルト
４  受け止め部
５  竿掛部
【図１】
2004187537.tif 000003
【図２】
2004187537.tif 000004
【図３】
2004187537.tif 000005
(57)【要約】      （修正有）【課題】乾燥地農業及び家庭園芸、都市緑化をするための節水、省力及び省設備を安価で実現する。土壌の水分に応じて水の給水と止水をするのには、土壌の水分センサー、電磁弁、タイマー及び電気が必要であるが、それでは高価で作物より高くなり現実的ではない。この費用を１パーセント以下に押さえなければならない。【解決手段】吸水膨張材２を水のみ出入り出来るシリンダー１に入れて土壌に突き刺すと、土壌の水分を吸水して吸水膨張剤２が膨張し、ピストン３を押して、固定てこ７とネジ８で挟んである軟質パイプ６をより強く挟み、軟質パイプ６を流れる水を止める。すると乾燥が時間と共に進み、やがて吸水膨張材２が乾燥して収縮し、軟質パイプ６の反発力で水が流れでる。従って簡単な構造で土壌の水分の増減によりバルブが開閉され、土壌水分を自動制御でき、費用も現実的な価格ですむ。【選択図】        図１
2004187510.tif 000002
【特許請求の範囲】
【請求項１】
片方が閉じて尖った筒の外周に小穴をあけて水分のみ透過出来るようなシリンダーにして、その中に吸水膨張材を入れてピストンで閉じ込めると筒の外の水分の変化に応じて吸水膨張材が膨張収縮してピストンが動く、この動きを伝えて軟質パイプを直接又は、てこか、カムを介して挟み軟質パイプ内を流れる水の開閉をするバルブ。
【発明の詳細な説明】
【０００１】
【発明が属する技術分野】
乾燥地農業及び家庭園芸、都市緑化するための節水と、省力と省設備を実現する。
【０００２】
【従来の技術】
一番安価な方法は水の容器に小さな穴を開けるか、ひものような毛細管現象利用して水を滴り落とす方法がありますが容器の大きさに限りがあり、天候と土の乾湿に変動しません。別の方法は高価ですが土の水分を電気回路とセンサーで測定しタイマーと電磁弁で給水を制御する方法もありますが高価で農業では採算がとれません。また電気のない場所とかメンテナンス無しでは維持できないので遠隔地とか後進国には不可能だった。
【０００３】
【発明が解決しようとする課題】
乾燥地の作物生産量は、水の多少に比例します。しかし同量の水なら節水率に比例します。半分の水で済めば生産量は倍になります。それをするには作物の価格から捻出出来る金額以下費用で実現しなければなりません。その上に慎頼性が必要です。
【０００４】
【課題を解決するための手段】
本発明は、安価とメンテナンス無しを実現するため通常のバルブに有る弁と弁座の精密加工によるシールと腐食によるシール不良をすべて無くするために、軟質パイプを直接ピンチで挟みパイプのはさみ調節と固定をねじで、土壌への本体の固定と接触による水分の吸収と乾燥に伴う吸水膨張材の膨張と収縮による単純な動きによる開閉する構造に、する事で故障がすくない。電気回路も高価な電磁弁もタイマーも使用し無いで、自動制御を実現している。従って水量調節機能が無いが、パイプの挟む位置で水の出口と本体の間隔によって水量調節するため目視で確認できるので、安価と信頼性と節水性能をすべて満たす事が出来る。
【０００５】
【発明の実施の形態】
本発明は先進国の都市緑化及び家庭園芸に最適ですが、未開発国の乾燥地に尚良い。なぜなら軟質パイプ以外のすべては天然材料で手作りできます。シリンダーの部分は素焼きの陶器で吸水膨張材はアクリル酸エステルが最適ですが、シリンダー形状をくふうすれば天然素材でもできるので自作できます。
【０００６】
【実施例】
図１Ａは、本発明のバルブの側面図です。図２は本発明のバルブを植木鉢に使用している実施例です。６の軟質パイプを７の固定てこと、４の開閉てこで挟み中を流れる水を８の調節ネジで少し流れ出る位に調節します。その状態で植木鉢の土に１の尖った所を差し込みます。するとパイプの出口から水が土壌に円を広がるようにつたって１のシリンダーの穴から侵入して２の吸水膨張材を膨張させると３のピストンが４の開閉てこを押して開閉てこは６の軟質パイプを強く挟むのでパイプが変形して水は流れなくなります。
【０００７】
水が止まり乾燥すると１のシリンダーの穴から水分が抜けて吸水膨張材が収縮して軟質パイプの復元力の方が強くなり水がながれでます。雨の水分でも同じように止まります。水分が多すぎると吸水膨張材によっては軟化しすぎて、シリンダー外に流れ出るのを防ぐために、網目の細かい布で給水ポリマーと繊維を混合して包んでから入れると良い。
【０００８】
給水量の調節は調節ネジで流量を決めてパイプの水の出口と水分センサーの働きをするシリンダーとの距離で流出時間が決まります。実施すればパイプの水の出口から水がぽたぽた流れ出て土が濡れた所と乾いた所の色が変わって同心円状に広がるのが目視できるので作物に応じて使用する人が水を多く出したければ、水の出口を離して固定し近くで固定すれば少なくする事が簡単に調節できる。
【０００９】
【発明の効果】
乾燥地での農業での本発明の節水効果は習熟度が上がれば１割以下の水の使用量も可能性がある１割で済めば同じ水量で出来る作物が１０倍に成る事もありうる。それだけで無く塩気のある水の耕作地では塩害で水の使用量により耕作地の寿命がきまる。ゆえに本発明の節水効果は耕作地の寿命をもながくします。それ以上に良い事は作物だけに水を与え雑草には水を与え無いようパイプを設置すれば砂漠の方が日照時間の長い雑草の無い好農地になる効果がある。
【図面の簡単な説明】
【図１】図１Ａは、本発明バルブの側面図であって、図１Ｂはバルブの正面図でシリンダー内部の給水膨張材が入っている所が断面表示してあります。
【図２】植木鉢に使用している、実施例。
【符号の説明】
１  水分だけが出入りする穴がある尖ったシリンダー
２  吸水膨張材
３  ピストン
４  開閉てこ
５  てこの支点
６  軟質パイプでこの中を水が流れてきます。
７  パイプ固定てこ
８  固定と調節ネジ
【図１】
2004187510.tif 000003
【図２】
2004187510.tif 000004
(57)【要約】【課題】汚物をトイレに流すとき、吊り下げハンドルを持たずに片手だけでバケツを持ち上げ傾けることができるようにしたい。【解決手段】バケツ後部に窪み１を作り縁の折り返し２を大きくしてかつ、加重に耐えられるよう後部と側面に縁の折り返しが本体と接合する部分５をつくった。こうするとこの部分に指をかけて片手だけで持ち上げ傾けられるようになるので、片方の手は初めから水洗トイレのレバーに置いてそれぞれ、汚物の跳ね返りや便器の汚れを避ける最も良いタイミングで汚物を流す動作と水を流すためのレバー操作ができる。【選択図】  図１
2004187695.tif 000002
【特許請求の範囲】
【請求項１】
バケツ本体後部に窪み１と大きな縁の折り返し２を持ち、その部分に指を入れ握ることで吊り下げハンドルを持たずに汚物の入ったバケツを持ち上げ、傾けることのできる介護用ポータブルトイレのバケツ。
【請求項２】
片手でバケツを持ち上げ、傾けることができるようにバケツ本体後部に指を掛けるための板６を持つ介護用ポータブルトイレのバケツ。
【発明の詳細な説明】
【０００１】
【発明の属する技術分野】
この発明は介護用品であるポータブルトイレのバケツに関することである。
【０００２】
【従来の技術】
介護用ポータブルトイレのバケツは他の家庭用掃除バケツと同様に吊り下げハンドルを握ってバケツを下げ、もう一方の手でバケツを傾けて汚物を捨てる動作をするものとして作られている。汚物を水洗トイレに流して始末する事を前提に作られたバケツの場合、捨て易いように先端が船の舳先のように尖っていることを除いては、不快な汚物の跳ね返りや、水洗トイレの便器の汚れを防ぐことに関して特に配慮された技術は見あたらない。
【０００３】
【発明が解決しようとする課題】
介護用ポータブルトイレの汚物を流し捨てる時の動作は他の掃除用バケツの中身を捨てる場合と同様に両手を使う。吊り下げハンドルを握ってバケツを下げ、もう一方の手を後部の折れ曲がった縁か、あるいはバケツの底に当てて傾けるのが一般的と思われる。問題はバケツの中身が汚物であること、狭い場所で体のすぐそばでこの動作をしなくてはならないことである。水の流れている時にバケツを傾けないと汚物の跳ね返りや便器の汚れが大きい事を経験的に知っている者は初めに水を流し、それからその手をバケツ後部の縁の折り返しに当て、そろそろとバケツを傾ける。しかし、この手順だと水流の勢いと量の最も良い瞬間を、わずかなタイミングではあるが必ず逃す。もし片手だけでバケツを持ち上げ傾けることができれば、もう片方の手は初めから水洗レバーにかけておけるので最も良いタイミングで両手をそれぞれの動作のために使うことができる。
【０００４】
【課題を解決するための手段】
上記目的を達成するために、片手の指が入る程度にバケツ本体後部に窪み１を作り、縁の折り返し２の高さを曲げた指が余裕を持ってかかる高さにし、縁の折り返しはバケツを持ち上げた時の加重に耐えられるよう後部と側面で本体に接合する部分５を持つ。このようにすると片手でバケツを持ち上げ傾けることができるようになるので、水洗トイレのレバーの操作と汚物を流しいれる動作は互いに最も良いタイミングで行なうことができる。
【０００５】
【実施例】
図１で説明する。吊り下げハンドル４はバケツを便座に据え置いた時と同じようにバケツ後部側に倒し、バケツ後部の窪み１に指をいれ後部の縁の折り返し２と吊り下げハンドル４を共に握って持ち上げ水洗トイレの便器の縁にバケツを当てて少し傾ければ汚物を流し込むことができる。
【０００６】
その他の実施例のついて図５と図６で説明する。バケツ本体後部の垂直面を前方に指一本分くらいずらし、指をかけるための板６を取り付けた。こうすると指を板６にかけ吊り下げハンドル４と共に握ってバケツを片手で持ち上げ、傾けることができる。
【発明の効果】
バケツ本体後部に余裕を持って指のかかる窪みや、指をかけるための板があるので、吊り下げハンドルなしに片手だけでバケツを持ち上げ、傾けることができる。これにより片方の手は初めから水洗トイレのレバーにかけおくことができるので、バケツを傾けて汚物を流し込む動作と水洗トイレのレバーの操作は汚物の跳ね返りや便器の汚れを避けるよう互いに最も良いタイミングで行なうことができる。
【図面の簡単な説明】
【図１】介護用ポータブルトイレのバケツの斜視図である。
【図２】介護用ポータブルトイレのバケツの上から見た図である。
【図３】介護用ポータブルトイレのバケツの横から見た図である。
【図４】介護用ポータブルトイレのバケツの後ろから見た図である。
【図５】その他の実施例で、介護用ポータブルトイレのバケツの後ろから見た図である。
【図６】その他の実施例で、介護用ポータブルトイレのバケツの横から見た図である。
【符号の説明】
１．バケツ本体後部の窪み
２．バケツ後部の縁の折り返し
３．バケツ本体
４．吊り下げハンドル
５．縁の折り返しと本体の接合部分
６．指を掛けるための板
７．バケツ後部の周縁
【図１】
2004187695.tif 000003
【図２】
2004187695.tif 000004
【図３】
2004187695.tif 000005
【図４】
2004187695.tif 000006
【図５】
2004187695.tif 000007
【図６】
2004187695.tif 000008
(57)【要約】【課題】耕作地の作物を猪などの被害から守るために、耕作地の周囲に金網を張りめぐらせているが、金網の線径が下縁から上縁迄が同一径のため金網の下部が破損されやすく、作物に被害を受ける問題を金網の線径の差異によって阻止することにある。【解決手段】鉄線１を用いて製網した耕作地用の金網Ａにおいて、この金網の地面側下縁から上方途中迄の範囲の上記鉄線の線径が、途中から上縁迄の鉄線の線径よりも太くなっていることを特徴とする金網を耕作地に使用して猪などによる作物の被害から守る。【選択図】    図２
2004187630.tif 000002
【特許請求の範囲】
【請求項１】
鉄線を用いて製網した耕作地用の金網において、この金網の地面側下縁から上方途中迄の範囲の上記鉄線の線径が、途中から上縁迄の鉄線の線径よりも太くなっていることを特徴とする金網。
【請求項２】
前記鉄線に金属メッキを施こしたことを特徴とする請求項１に記載の金網。
【請求項３】
鉄線と、この鉄線を被覆する合成樹脂被膜とからなる被覆線を用いて製網した耕作地用の金網において、この金網の地面側下縁から上方途中迄の範囲の上記鉄線の線径が、途中から上縁迄の鉄線の線径よりも太くなっていることを特徴とする金網。
【発明の詳細な説明】
【０００１】
【発明の属する技術分野】
この発明は、耕作地に張りめぐらす金網に関する。
【０００２】
【従来の技術及びその課題】
耕作地の作物を猪などの被害から守る方法としては、耕作地の周囲に金網を張りめぐらしている。
【０００３】
上記の金網を形成する鉄線の線径は地面側下縁から上縁迄を同一線径の鉄線を用いて製網してあるので、金網に対する猪の突進或いは牙の引っ掻きや引っ掛けなどによって金網の下部が破損し、破損にともない猪の通過を許容するので、農作物の被害を受ける。
【０００４】
上記の原因は、金網を形成する鉄線の線径が小さい（細い）ことにある。
【０００５】
そこで、金網を形成する鉄線の線径を大きく（太く）することによって上述の問題を解消することが考えられる。
【０００６】
しかしながら、全ての鉄線の線径を大きくすると大幅なコストアップになると共に、重量の増加にともない金網の張設作業に多大な労力を必要とする問題などがあった。
【０００７】
特に、金網の中途から上縁迄が猪に対し無接触になるので、不経済になる。
【０００８】
そこで、この発明は、金網の例えば猪による被害を受けやすい部分のみを補強することにある。
【０００９】
【課題を解決するための手段】
上記の課題を解決するために、この発明は、鉄線を用いて製網した耕作地用の金網において、この金網の地面側下縁から上方途中迄の範囲の上記鉄線の線径が、途中から上縁迄の鉄線の線径よりも太くなっている構成を採用する。
【００１０】
また、鉄線と、この鉄線を被覆する合成樹脂被膜とからなる被覆線を用いて製網した耕作地用の金網において、この金網の地面側下縁から上方途中迄の範囲の上記鉄線の線径が、途中から上縁迄の鉄線の線径よりも太くすることもある。
【００１１】
【発明の実施の形態】
この発明の第１の実施形態では、図１及び図２に示すように、鉄線を用いて製網した耕作地用の金網Ａにおいて、この金網Ａの下縁から上方猪などによる被害（破損される）を受ける鉄線に線径の太い（大きい）鉄線１を、この太い鉄線１から金網Ａの上縁迄の鉄線に線径の細い（小さい）鉄線２を用いる。
【００１２】
上記の太い鉄線１の線径としては、例えば２ｍｍ前後のものが、細い鉄線２の線径としては、例えば１ｍｍ前後のものが使用される。
【００１３】
上記太い鉄線１の使用範囲としては、金網Ａの高さ（丈）が１ｍ８０ｃｍの場合、８０ｃｍや９０ｃｍなど適宜決定する。
【００１４】
すると、金網Ａの下部範囲に猪が突進し、或いは牙に引っかけて破損しようとしても、太い鉄線１によって破損を防止することができる。
【００１５】
また、図３、図４に示すように上記金網Ａの太い鉄線１及び細い鉄線２に亜鉛などの金属メッキ３を施こす。
【００１６】
すると、金属メッキ３によって防錆以外に太い鉄線１及び細い鉄線２の強度アップにもなる。
【００１７】
この発明の第２の実施形態では、図５、６に示すように、第１実施形態の線径の太い鉄線１及び線径の細い鉄線２に合成樹脂被膜１１を設けた被覆線１２を用いて金網Ａを製網する。
【００１８】
上記の合成樹脂被膜１１は、必要に応じ太い鉄線１及び細い鉄線２に周知手段によって接着することもある。
【００１９】
すると、合成樹脂被膜１１によって太い鉄線１及び細い鉄線２を保護して防錆や防食効果がある。
【００２０】
そして、下側の線径の太い鉄線１と上側の線径の細い鉄線２との使い分けにより第１の実施形態と同様に猪による破損を防止する。
【００２１】
【発明の効果】
以上のように、耕作地にこの発明の金網を使用することにより太い線径の鉄線によって猪などによる金網の下部の破損を防止するので、作物の被害をなくすることができる。
【００２２】
また、下縁から上方途中迄にのみ線径の太い鉄線を使用するので、大幅な重量の増加がないため張設作業に支障をきたすこともない。
【００２３】
さらに、鉄線の金属メッキや合成樹脂被膜により錆の発生や腐食をなくすることができると共に、強度のアップになる。
【図面の簡単な説明】
【図１】この発明の第１の実施形態の金網を示す正面図
【図２】同上の要部を示す拡大正面図
【図３】メッキ処理した鉄線の縦断端面図
【図４】メッキ処理した鉄線の縦断端面図
【図５】第２の実施形態の金網を示す正面図
【図６】同上の要部を示す一部切欠拡大正面図
【符号の説明】
Ａ      金網
１      太い鉄線
２      細い鉄線
３      金属メッキ
１１    被膜
１２    被覆線
【図１】
2004187630.tif 000003
【図２】
2004187630.tif 000004
【図３】
2004187630.tif 000005
【図４】
2004187630.tif 000006
【図５】
2004187630.tif 000007
【図６】
2004187630.tif 000008
(57)【要約】【課題】植物を家庭で生育させる際、どうしても必要となる人的な水分の補充の世話をなくす。【解決手段】木質内に水分が十分に詰まっている木材を素材とする。木材の表面から水分の蒸発をなくすため、発芽の穴除き全ての表面を防水加工する。この木材の内部をくり抜き、栽培用土等を詰め、種子等をいれ、木質内の水分が栽培用土等に吸収されるようにして、植物がこの水分を摂取することにより、人的な水分補充がなくても生育することが出来る。【選択図】  図１
2004187659.tif 000002
【特許請求の範囲】
【請求項１】
乾燥していない木質内に含まれる水分を外気に蒸発させないよう木材表面を防水加工し、木材内部に詰めた栽培用土等のみに吸収させるようにさせ、植物の成長に必要な水分は、この栽培用土等の水分から摂取され、植物が生育できるという特徴をもった植物の生育方法。
【請求項２】
請求項１にかかる水分により植物が生育可能とする特徴をもった植木鉢。
【発明の詳細な説明】
【０００１】
【発明の属する分野】植木鉢等にて植物を生育させる園芸分野である。
【０００２】
【従来の技術】従来の植木鉢等における植物の栽培は、生育に必要な水分を屋外では自然の雨で摂取し、不足する場合とか、屋内にて栽培する場合、水分は、人的に給水をする。
【０００３】
【発明が解決しようとする課題】植木鉢等にて植物を屋内育成する際、植物の成長に不可欠な水分の摂取について、人的な給水作業をせずに、より自然環境に近い水分摂取方法を提供する。
【０００４】
【課題を解決するための手段】本発明は、乾燥していない木材を植木鉢の材料素材とする。この木材の内部をくり抜き、その中に栽培用土等を充填する。生木内に含まれる水分が木材表面部から外気へ漏れないようにするため、木材の表面を外気と遮断するよう防水処理する。
【０００５】
木材の特性から、水分を含んだ状態では、徐々に乾燥、すなわち水分の蒸発をするわけであるが、本発明の植木鉢は、水分の蒸発場所は、木材内部の栽培用土に接する部分しかなく、木材内部より蒸発した水分は、水分吸収のいい栽培用土に吸収される。したがって木材内に水分がある限り、栽培用土は水分を保つことが出来る。
【０００６】
【実施例】添付図面は、本発明の植木鉢について図示するものである。図面に基づき、本発明の実施例について詳細に説明する。
【０００７】水分を含む木材１の内部をくり抜き外気と接触する木材表面部２を防水処理し、水分が外気へ逃げないようにする。
【０００８】くり抜いたところに栽培用土３を充填し、その中に種子、球根４をいれる。
【０００９】乾燥をより持続させる場合は、蓋５をし、植物の発芽に必要な最小限の大きさの穴６をあける。（図１参照）
【００１０】木材１の形状とくり抜き方向は、いろいろ考えられる。木材を水平、垂直方向に利用する。また、木材の木目を重視するなら、蓋５を底部にして穴６のみ上側につける、くり抜き部を側部にして、側部から生育させてもいい。
【００１１】サボテン、観葉植物，樹木等の既に地上へ発芽している植物栽培においては、当植物を栽培用土３に植え替えた後、蓋５をする。この際、穴６は等植物の根が通り抜け可能の大きさにするか、蓋５を二つに分けて茎部をはさむようにする。
【００１２】発芽時期を迎えた植物は、穴６を通り、図２のように開花することが出来る。
【００１３】水分がなくなってしまったら木材底部に穴をあけ、一般の植木鉢のように水分を与え、普通の植木鉢として使用する。
【００１４】表面部２の防水加工の際、カビ防止剤を塗付してカビを防止する。
【００１５】表面部２の防水加工では、木材が水分を含んでいるため、木材の表面を焼く等の乾燥して，硬化時間の短い防水塗料を使用する。
【００１６】栽培用土３は、土類、コケ類の自然素材のほか、吸収性のある新素材で植物の成長を可能とするものでもよい。
【００１７】
【発明の効果】本発明は、園芸分野における植物の生育に必要な水分を、乾燥していない木質内に存在する水分より摂取させるという技術を可能せしめるものであり、この技術により、水分補給を人的な労力を必要とせず、屋内での植物栽培が衛生的なものとなる。
【図面の簡単な説明】
【図１】本発明にかかる植木鉢の外観図である。
【図２】本発明にかかる植木鉢に花の咲いた外観図である。
【符号の説明】
１  木材
２  木材表面部
３  栽培用土
４  球根、種子
５  蓋
６  穴
【図１】
2004187659.tif 000003
【図２】
2004187659.tif 000004
(57)【要約】【課題】小型な製造装置で、経済的に製造し得る酸化還元機能を持った酒類、及び、その製造方法を提供する。【解決手段】酒類に水素ガスを１気圧〜５００気圧に加圧して溶解せしめ酸化還元電位のマイナスの酒類を得る。この酒類をこのまま使用する、あるいは、通常の酒類に混合する手段により使用する。【選択図】        なし【特許請求の範囲】
【請求項１】
酒類に水素ガスを１気圧〜５００気圧に加圧して溶解せしめて製造した酒類、及びその製造方法。
【請求項２】
請求項１の酒類にその過程を経ていない酒類を混合して得られる酒類、及びその製造方法。
【請求項３】
請求項１の水素ガスがメタンガス、エタンガス、プロパンガス、ブタンガス、二酸化炭素、酸素、窒素から選択された少なくとも１種以上を含む請求項１及び２の酒類、及びその製造方法。
【請求項４】
前記水素ガスを溶解する酒類として、酒、ワイン、ウインスキー、ブランデー、ウオッカ、焼酎、に請求項１〜３までの製造方法で水素ガスを溶解せしめた酒類、及びその製造方法。
【発明の詳細な説明】
【０００１】
【発明が属する技術分野】
本発明は、酒類に関する。さらに本発明は、その製造方法に関する。
【０００２】
【従来の技術】
従来、酒類において水素ガスを溶解させ、酸化還元電位をマイナスとし、酒類を飲用することによる身体の酸化促進を抑制するという手法はなかった。
【０００３】
【発明が解決しようとする課題】
本発明の目的は、酒類の中にある酸素原子と水素ガス中の水素原子を水素結合させ、酒類の酸化還元電位をプラスよりマイナスに転じさせることにある。そうすることにより酒類に身体の酸化を抑制する働きを持たせることにある。また、本発明のさらなる目的は、その製造方法を提供することにある。
【０００４】
本発明の上記目的は、以下の構成により達成される。
本発明の第一の様態では、冷却した酒類に、冷却した水素ガスを１気圧〜５００気圧に加圧して溶解せしめ、その後、常温常圧に戻して得ることができる酒類。
【０００５】
このときの、酒類への水素ガスの溶解割合は、温度及び圧力により変化するが、全体の約０．５〜３．５ｗｔ％となる。しかし、これを常温常圧に戻すと約０．４〜２．５ｗｔ％は気化してしまうので、結果として約０．１ｗｔ％〜３．１ｗｔ％の範囲の水素ガスが安定して溶解する。
【０００６】
酒類の温度を冷却するのは、暖めると水素ガスの溶解量が少なくなり、また凍るまで冷却すると水素ガスが溶解しなくなる。また圧力を１気圧〜５００気圧としたのは、１気圧未満だと溶解量が少なく、５００気圧以上だと常温常圧に戻したときに溶解した水素ガスが気体に戻ってしまう量が多く、不経済だからである。
【０００７】
本発明の酒類は単に常温常圧で水素ガスを酒類に溶解しようとした場合と比すると、より多くの水素ガスを溶解し得るという効果を奏する。このような効果が生じることの理由は、必ずしも明確ではなく、今後の研究を待つ必要があるが、次の理由によるものと推定される。
【０００８】
すなわち、酒類と水素ガスを低温で加圧して混合すると、それぞれの分子間距離が接近して水素ガスの中の水素原子と酒類の中の酸素原子との間に水素結合が生じ、この水素結合した水素ガスは常温常圧に戻しても安定に存在する。それに対して、常温常圧で酒類に水素ガスを溶解させようとしても、両分子間距離が小さくならないため、水素ガスの中の水素原子と酒類の中の酸素原子との間に水素結合が生じにくく、結果として酒類中の水素ガスの溶解量が少なくなるものと推定される。
【０００９】
なお、酒類が凝固する温度域に達する前のシャーベット状の状態においても攪拌することにより、ないしは、流動させることにより、水素ガスを加圧し、酒類中の酸素原子と水素ガス中の水素原子に水素結合を起こさせることが可能であることは明らかである。
【００１０】
本発明の別の様態では、水素ガスを圧力１気圧〜５００気圧の条件下にて加圧し溶解させた酒類を、その過程を経ていない酒類に混合して得ることができる酒類を提供することもできる。
【００１１】
本発明の酒類の製造方法にあたっては、周知の気液接触装置を使用することができ、バッチ式であっても連続流動式であっても適宜使用することができる。
【００１２】
また、低温、高圧で水素ガスを吸収させた酒類を常温常圧に戻した時に気化した水素ガスは、当然に回収して再使用することができる。
【００１３】
【実施例１】
約４℃に冷却したウイスキーを密閉容器内でバッチ式により約４℃に冷却した水素ガスを約５気圧の圧力により約０．５ｗｔ％となるように溶解させた後、常温常圧に戻した。このときの水素ガスの蒸発は約０．２ｗｔ％であった。
【００１４】
このウイスキーについて酸化還元電位を測定することとした。その結果は次のとおりである。
実験場所    ：    石川県
実験方法    ：    ＴＯＡ  ＤＫＫ  製造  酸化還元電位計により測定
【変化】
水素ガス加圧充填前のウイスキー    酸化還元電位  プラス  ２２５ｍＶ
水素ガス加圧充填後のウイスキー    酸化還元電位  マイナス３５０ｍＶ
【００１５】
【実施例２】
約６℃に冷却したワインを密閉容器内でバッチ式により約６℃に冷却した水素ガスを約５気圧の圧力により約０．５ｗｔ％となるように溶解させた後、常温常圧に戻した。この時の水素ガスの蒸発は約０．２ｗｔ％であった。
【００１６】
このワインについて酸化還元電位を測定することとした。その結果は次のとおりである。
実験場所    ：    石川県
実験方法    ：    ＴＯＡ  ＤＫＫ  製造  酸化還元電位計により測定
【変化】
水素ガス加圧充填前のワイン      酸化還元電位  プラス      ４３ｍＶ
水素ガス加圧充填後のワイン      酸化還元電位  マイナス  ４５２ｍＶ
【００１７】
【発明の効果】
以上の、実施例の結果からも明らかなように、本発明の酒類は、通常の酒類と違い酸化還元電位がマイナスであり、酸化を還元する働きを有するという特色を持つということが良くわかる。従来は、酒類を飲用することにより身体の酸化を促進する傾向があったものを、本発明の酒類は、飲用により身体の酸化を還元することとなり、健康的にも有益なものとなる。
【００１８】
従って、本発明の酒類の経済的効果についても非常に大きなものとなる。
(57)【要約】【課題】本発明は、禁煙用パイプに関する。ことに細胞の活性化促進作用など身体の新陳代謝と血行を促進させる等の働きのあるトルマリンの効能を生かした禁煙用パイプを提供する。【解決手段】本発明は禁煙用パイプに、トルマリン粒ならびに、トルマリン粉末とセラミックを練り合わせて成型焼結した焼成体を内蔵し、それらが外部に放出しないよう空気取り入れ口部と吸い口部にフィルターを設ける。従来の禁煙用パイプにはないトルマリンの効果を生かした禁煙用パイプである。【選択図】    図１
2004187658.tif 000002
【特許請求の範囲】
【請求項１】
禁煙用パイプの内部にトルマリン粒を内蔵する。また空気取入り口部と吸い口部にフィルターを設け、内蔵されたトルマリン粒が放出しないように形成されていることを特徴とする禁煙用パイプ。
【請求項２】
請求項１のトルマリン粒を内蔵させたもの、およびトルマリンの粉末とセラミックを練り合わせて成型焼結した焼成体を内蔵する。また空気取り入れ口部と吸い口部にフィルターを設け、内蔵された焼成体が放出しないように形成されていることを特徴とする禁煙用パイプ。
【発明の詳細な説明】
【０００１】
【発明の属する技術分野】
本発明は、禁煙用パイプの改良に関するものである。
【０００２】
【従来の技術】
従来のタバコの禁煙用パイプは、ミントなどの香料を内蔵したものが主であり、ただ喫煙欲を紛らすためにだけ使用するものである。
【０００３】
【発明が解決しようとする課題】
上記従来技術の禁煙用パイプは、喫煙欲を一時的に抑えるためのパイプでありそれ以上の健康に寄与する機能を備えていない。
【０００４】
【課題を解決するための手段】
本発明は、地球上に産出されるトルマリン鉱石がもっている効能を巧みに利用したものである。既に知られているトルマリンの効能を列挙すれば次のごとくである。トルマリンの特性として知られているマイナスイオン発生と遠赤外線の発生という相乗効果に加えて、殺菌、抗菌作用、ヒドロキシルイオンの界面活性効果による洗浄作用、細胞の活性化促進作用など身体の新陳代謝と血行の促進を図ることである。本発明の特徴は以下のとうりである。
その一つは、禁煙用パイプの内部にトルマリン粒を内蔵する。またその内蔵されたトルマリンが外部に放出しないように、空気取り入れ口部と吸い口部にフィルターを設ける。そのように形成されていることを特徴とする禁煙用パイプである。
【０００５】
その二つは、前記のトルマリン粒を内蔵するもの、およびトルマリンの粉末とセラミックを練り合わせて成型焼結した焼成体を内蔵する。その内蔵された焼成体が外部に放出しないように空気取り入れ口部と吸い口部にフィルターを設ける。そのように形成されていることを特徴とする禁煙用パイプである。
【０００６】
【発明の実施の形態】
以下、本発明の実施例について説明する。まずパイプ本体の材質は、ＡＢＳ樹脂、例えばポリスチレン、アクリルスチレン、ナイロン、ポリカーボネイトポリプロピレン、ポリアセタール、ポリエステルまたはポリエチレン等の合成樹脂を成型加工したもの等特に材質を制限する必要はない。
【０００７】
本発明に使用するトルマリンはトルマリン鉱石を粉砕したものである。またトルマリンの粉末とセラミックを練り合わせて成型焼結した焼成体を使用する。また空気取り入れ口部と吸い口部に、上記のトルマリン粒、およびトルマリン粉末とセラミックを練り合わせて成型焼結した焼成体が、パイプ本体から放出しないようフィルターを設ける。
【０００８】
図Ｉ、図２の本発明の禁煙用パイプの一実施例において（１）は禁煙用パイプ本体である。空洞化されたパイプ本体の内部にトルマリン粒ならびにトルマリンとセラミックの焼成体（２）が内蔵されている。
【０００９】
空気吸い込み口部（６）と吸い口筒（５）の吸い口部（３）にはトルマリン粒ならびにトルマリンとセラミックの焼成体（２）が外部に放出しないようフィルター（４）を設けている。
【００１０】
図２は、図Ｉの斜視図である。
【００１１】
【発明の効果】
本発明の禁煙用パイプは、パイプ本体にトルマリン粒およびトルマリン粉末とセラミックを練り合わせて成型焼結した焼成体を内蔵し、それらが放出されないよう空気取り入れ口部と吸い口部にフィルターを設ける。
【００１２】
この禁煙用パイプは、トルマリンの持っている次の効能を有している。
トルマリンの特性として知られているマイナスイオンの発生と遠赤外線の発生という相乗効果に加えて殺菌、抗菌作用、またヒドロキシルイオンの界面活性効果による洗浄作用、細胞の活性化促進作用等、身体の新陳代謝と血行の促進を図ることである。
【図面の簡単な説明】
【図Ｉ】本発明の禁煙用パイプの一実施例を示す断面図
【図２】本発明の禁煙用パイプの一実施例を示す斜視図
【符号の説明】
１、  禁煙用パイプ本体
２、  トルマリン粒およびトルマリンとセラミックの焼成体
３、  吸い口部
４、  フィルター
５、  吸い口筒
６、  空気取り入れ口部
【図１】
2004187658.tif 000003
【図２】
2004187658.tif 000004
(57)【要約】【課題】従来の布網やふるい式のものは形状が大きく、河川の上流，中流，下流を調査する際、持ち運びに不便である。また、岩や石ころに付着している水生生物を採集する際は、表面を削り取る器具が別に必要となる。さらに、従来のものは、採集した水生生物をその大きさにより分別することができない。【解決手段】採集布網に木枠を設け、折りたたみができるようにした。また、その木枠の上面・下面に網目の大きさの違う網（又は布）を張り、２段階のふるいをかけ、大きさの違う水生生物を採集することができる。また、木枠上面の網で石や岩に付着した水生生物を削り取りながら採集することができるようにした。【選択図】  図１
2004187665.tif 000002
【特許請求の範囲】
【請求項１】
環境庁水質保全局が定める「水生生物による水質の調査法」により分類されている指標水生生物をはじめとする水生生物を捕獲・採集するための器具。持ち運びしやすいように折りたたみ式にしたことと岩や石ころに付着している指標水生生物を網で削り取り、２重のふるいにかけて大きさの違う水生生物を採集するところを特徴とする。
【発明の詳細な説明】
【０００１】
【発明の属する技術分野】
本発明は、指標水生生物をはじめとする水生生物を採集する器具に関するものである。
【０００２】
【従来の技術】
水生生物を採集する器具には、十字状に連結した２本の棒の間に布網を張った受け網や園芸用のふるい、釣り用の手網の形状のものが従来用いられている。
【０００３】
【発明が解決しようとする課題】
しかしながら、従来の布網やふるい式のものは形状が大きく、河川の上流，中流，下流を調査する際、持ち運びに不便である。
【０００４】
また、岩や石ころに付着している水生生物を採集する際は、表面を削り取る器具が別に必要となる。
【０００５】
さらに、従来の布網やふるい式のものは、採集した水生生物をその大きさにより分別することができない。
【０００６】
本発明は、このような従来の問題を解決しようとするもので、持ち運びしやすいように折りたたみ式にし、また、岩や石ころに付着している水生生物を網で削り取り、２重のふるいにかけて採集することができる水生生物捕獲採集器である。
【０００７】
【課題を解決するための手段】
本発明は、採集布網に木枠を設け、折りたたみができるようにした。また、その木枠の上面・下面に網目の大きさの違う網（又は布）を張り、２段階のふるいをかけ、大きさの違う水生生物を採集することができる。また、木枠上面の網で石や岩に付着した水生生物を削り取りながら採集することができる。これらの手段により、上記課題を解決したものである。
【０００８】
【発明の実施の形態】
本発明の水生生物捕獲採集器は、図１に示されるように、木枠１を蝶番２で連結し、網３と布網４を設け、それぞれの一辺７は木枠１に固着している。そして、網３と布網４には木枠との固定用ゴム５が設けられ、木枠に設けたピン６に架け、固定する構造となっている。蝶番２は蝶番に限らず、弾性のある材料でも代用することができる。
【０００９】
図２は、網３と布網４のそれぞれに取り付けた固定用ゴム５を木枠に設けたピン６に架け、固定したところである。この状態で川に浸し、すくいながら水生生物を採集する。網目の違う網３と布網４を設けたことで、大きさの違う水生生物を２段階のふるいにかけて採集することができる。
【００１０】
図３は、網３と布網４を木枠に設けたピン６からはずし、蝶番２を折り、木枠をたたんだところである。網３と布網４は木枠に一辺７で固着しているので、折りたたんだ木枠に巻きつけて収納させる。このことにより、河川の上流，中流，下流を調査する際、持ち運びに便利となる。
【００１１】
水生生物は岩や石８に付着している場合が多い。その際、図４に示すように、岩や石８を網３に前後に軽くこすりつけるように削り、表面に付着している水生生物を採集する。この場合も、大きさの違う水生生物を２段階のふるいにかけて採集することができる。本発明の水生生物捕獲採集器は、岩や石に付着した水生生物は効率よく採集することができる。
【００１２】
微小の水生生物は布網４で採集するが、木枠１を周囲に設けているので水生生物を漏らすことなく採集することができる（図５）。また、網３を開き、布網４だけを使って川に浸し、水生生物を採集することも可能である。また逆に、布網４を開き、網３だけを使って川に浸し、採集することも可能である。
【図面の簡単な説明】
【図１】本発明に係る水生生物捕獲採集器を示す外観図である。
【図２】水生生物捕獲採集器の網と布網を固定した状態を説明する図である。
【図３】水生生物捕獲採集器を折りたたんだ状態を説明する図である。
【図４】岩や石に付着した水生生物を採集する方法を説明する図である。
【図５】木枠により水生生物を漏らさず採集できることを説明する図である。
【符号の説明】
１・・・木枠
２・・・蝶番
３・・・網
４・・・布網
５・・・固定用ゴム
６・・・ピン
７・・・木枠と固着する一辺
８・・・水生生物が付着している岩や石
【図１】
2004187665.tif 000003
【図２】
2004187665.tif 000004
【図３】
2004187665.tif 000005
【図４】
2004187665.tif 000006
【図５】
2004187665.tif 000007